【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
ユーザーからターゲット広告を開始するという選択を受信することと、
前記ターゲット広告に組み込む広告コンテンツを受信することと、
前記ターゲット広告を受信する指定された受信者の１または複数のユーザーの選択を受信することと、
電子プログラムガイドシステムとインタフェース接続し、テレビチャネルおよび対応するテレビ番組であって広告時間帯を販売するテレビ番組を表示するユーザーデバイスに、フィルタリングされた表示用のプログラムグリッドを生成することであって、前記プログラムグリッドから、ユーザー指定の受信者によってビュー用の前記ターゲット広告を表示するテレビ番組および特定の広告時間帯が選択されることと、
前記指定された受信者への配信用の前記ターゲット広告の購入の確認を受信して前記選択されたテレビ番組および前記特定の広告時間帯にビュー用に表示される前記ターゲット広告を開始することと
を含むことを特徴とする方法。
【請求項２】
前記ターゲット広告用の広告テンプレートの選択を受信することをさらに含むことを特徴とする請求項１に記載の方法。
【請求項３】
ビュー用の前記ターゲット広告を表示する前記テレビ番組の選択を受信することと、
前記テレビ番組中の前記特定の広告時間帯の選択を受信することと
をさらに含むことを特徴とする請求項１に記載の方法。
【請求項４】
前記ターゲット広告を開始するユーザーを、ユーザー連想リストからの１または複数の前記指定された受信者に相関させることをさらに含むことを特徴とする請求項１に記載の方法。
【請求項５】
テレビコンテンツ分散システム内の前記ユーザーを特定する認証データの入力を受信することと、
前記ターゲット広告を開始できるようにする前記認証データに従って前記ユーザーを認証することと
をさらに含むことを特徴とする請求項１に記載の方法。
【請求項６】
前記広告コンテンツから前記ターゲット広告のプレビューを生成することと、
レビュー用の前記ターゲット広告の前記プレビューを表示することを前記ユーザーによって開始することと
をさらに含むことを特徴とする請求項１に記載の方法。
【請求項７】
前記ターゲット広告のための前記広告コンテンツを、前記ターゲット広告を受信するために前記ユーザーによって選択されて指定された受信者にそれぞれ対応する１または複数のクライアントデバイスに送信することをさらに含むことを特徴とする請求項１に記載の方法。
【請求項８】
広告トリガデータを、前記ターゲット広告を受信するために前記ユーザーによって選択されて指定された受信者にそれぞれ対応する１または複数のクライアントデバイスに送信することであって、前記広告トリガデータは、前記選択されるテレビ番組および広告時間帯中にクライアントデバイスにおいてビュー用に表示される前記ターゲット広告がいつ開始するかを示すこと、をさらに含むことを特徴とする請求項１に記載の方法。
【請求項９】
広告テンプレートと、１または複数のクライアントデバイスにてオーディオビデオストリームの一部としてユーザー選択の広告時間帯に表示されるターゲット広告のために、ユーザーによって選択される広告コンテンツを受信することであって、前記時間帯は、テレビチャンネルのフィルタリングされたプログラムグリッドおよび広告時間帯を販売する対応するテレビ番組から前記ユーザーによって選択されることと、
前記ターゲット広告のための前記広告コンテンツを、前記ターゲット広告を受信するために前記ユーザーによって選択される受信者にそれぞれ対応する前記１または複数のクライアントデバイスに送信することと、
広告トリガデータを前記１または複数のクライアントデバイスに送信することであって、前記広告トリガデータは、前記ユーザー選択の広告時間帯中の選択されるテレビ番組中にクライアントデバイスにおいてビュー用に表示される前記ターゲット広告がいつ開始するかを示すことと、
前記クライアントデバイスにおいてビュー用に表示される前記ターゲット広告が開始する前記広告時間帯の開始時に、前記クライアントデバイスからのトリガ通知を受信することであって、前記トリガ通知は、前記広告トリガデータに対応する前記オーディオビデオストリーム内の広告挿入メッセージを検出する前記クライアントデバイスによって開始されることと、
を含むことを特徴とする方法。
【請求項１０】
前記クライアントデバイスにおいてビュー用に前記ターゲット広告を表示する表示命令を生成することと、
前記表示命令を、前記ターゲット広告として表示する前記広告コンテンツを順次開始する前記クライアントデバイスに送信することと、
さらに含むことを特徴とする請求項９に記載の方法。
【請求項１１】
前記ターゲット広告に対する請求を前記ユーザーに開始するために、前記ターゲット広告が前記クライアントデバイスにおいてビュー用に表示されたという証明を送信することをさらに含むことを特徴とする請求項９に記載の方法。
【請求項１２】
広告生成インタフェース及び広告管理インタフェースを介してターゲット広告の生成を容易にするよう構成されたターゲット広告サービスを実装するメモリ及びプロセッサと、
コンテンツディストリビュータが、利用可能なＩＤに関連付けられた広告時間帯におけるユーザー選択されたテレビ番組中に配信するために前記ターゲット広告を開始するユーザー選択を受信し、前記ターゲット広告に組み込む広告コンテンツを受信するように構成されている前記広告生成インタフェースと、
前記コンテンツディストリビュータが、前記ターゲット広告を受信する受信者の１または複数の選択を受信し、および前記ターゲット広告の購入の確認を受信するように構成されている前記広告管理インタフェースと、
前記ターゲット広告用の前記広告コンテンツを、各クライアントデバイスが前記ターゲット広告を受信するために選択される受信者にそれぞれ対応する１または複数のクライアントデバイスに送信し、
前記利用可能なＩＤを含む広告トリガデータを、それぞれのトリガデータベース中に前記広告トリガデータをそれぞれ格納した前記１または複数のクライアントデバイスに送信し、前記広告トリガデータに定期的にポーリングされるトリガデータベースは、挿入メッセージが前記利用可能なＩＤに対応する場合、ビュー用の前記ターゲット広告の表示をいつ開始するかを示す
ように構成されているコンテンツ分散システムと
を備えることを特徴とするターゲット広告システム。
【請求項１３】
前記広告生成インタフェースは、広告テンプレートの選択を受信して、前記ターゲット広告を開始するようにさらに構成されていることを特徴とする請求項１２に記載のターゲット広告システム。
【請求項１４】
前記広告管理インタフェースは、
ビュー用の前記ターゲット広告を表示する前記選択されたテレビ番組を選択することを容易にするために電子番組ガイドとインタフェース接続をすることと、
ビュー用の前記ターゲット広告を表示する前記選択されたテレビ番組中の前記広告時間帯を選択することを容易にするために広告トラフィッキングシステムとインタフェース接続をすることと
を行うようにさらに構成されている前記広告管理インタフェースであることを特徴とする請求項１２に記載のターゲット広告システム。
【請求項１５】
前記広告管理インタフェースは、前記ターゲット広告を開始する前記ユーザーを、ユーザー連想リストからの１または複数の前記受信者に相関させるようにさらに構成されていることを特徴とする請求項１２に記載のターゲット広告システム。
【請求項１６】
前記ターゲット広告システム内の前記ユーザーを特定する認証データの入力を受信することと、
前記ユーザーが前記ターゲット広告を開始できるようにするために前記認証データに従って前記ユーザーを認証することと
を行うように構成されている認証システムをさらに備えることを特徴とする請求項１２に記載のターゲット広告システム。
【請求項１７】
前記広告生成インタフェースは、
前記広告コンテンツから前記ターゲット広告のプレビューを生成することと、
レビュー用の前記ターゲット広告の前記プレビューの表示を前記ユーザーによって開始することと
を行うようにさらに構成されていることを特徴とする請求１２に記載のターゲット広告システム。
【請求項１８】
広告トリガデータを、前記ユーザーによって選択されて前記ターゲット広告を受信する受信者にそれぞれ対応する前記１または複数のクライアントデバイスに送信し、前記広告トリガデータは、前記選択されるテレビ番組および前記広告時間帯にクライアントデバイスにおいてビュー用に表示される前記ターゲット広告を開始する時を示すように構成されたコンテンツ分散システムをさらに備えることを特徴とする請求項１２に記載のターゲット広告システム。
【請求項１９】
前記広告時間帯の開始時に前記クライアントデバイスからトリガ通知を受信して、前記クライアントデバイスにおいてビュー用に表示される前記ターゲット広告を開始することと、
前記クライアントデバイスにおいてビュー用の前記ターゲット広告を表示する表示命令を生成することと、
前記ターゲット広告として表示する前記広告コンテンツを順次開始する前記クライアントデバイスに前記表示命令を送信することと
を行うように構成されたアプリケーションサーバをさらに備えることを特徴とする請求項１８に記載のターゲット広告システム。
【請求項２０】
前記アプリケーションサーバは、前記ターゲット広告が前記クライアントデバイスにおいてビュー用に表示されたという証明を送信して、前記ターゲット広告に対する請求を前記ユーザーに開始するようにさらに構成されていることを特徴とする請求項１９に記載のターゲット広告システム。